(57)【特許請求の範囲】
【請求項１】
注射器本体の先端部に着脱自在に螺着されるハブ及び前記ハブに支持されたカヌラを有する注射針を廃棄するための注射針廃棄用容器であって、
廃棄物を収容するための容器本体と、前記容器本体の開口部を覆う蓋体と、前記蓋体にスライド移動自在に装着された移動部材と、を備えており、
前記蓋体には、前記移動部材がスライド移動自在に装着される装着部が設けられ、前記装着部に装着用凹部が配設されているとともに、前記装着用凹部と前記移動部材との間に、前記移動部材を保持位置と保持解除位置との間をスライド移動させるためのスライド機構が設けられ、前記スライド機構は、前記移動部材に設けられた装着用爪部と、前記装着用凹部に設けられた開口部とから構成され、前記装着用爪部が前記装着用開口部に係合されて前記保持位置と前記保持解除位置との間を移動自在であり、
前記装着部には、前記注射針の前記ハブの片側を保持するための第１保持部が設けられているとともに、前記第１保持部に関連して落下開口部が設けられ、また前記移動部材には、前記注射針の前記ハブの他側を保持するための第２保持部が設けられ、更に、前記移動部材に関連して、前記移動部材を前記保持位置に保持するためのロック機構が設けられており、
前記移動部材を前記保持位置に移動させると、前記装着用爪部が前記装着用凹部の前記装着用開口部に沿って移動して前記移動部材の前記第２保持部が前記装着部の前記第１保持部に近接する方向に移動し、前記第１及び第２保持部は、相互に協働して前記注射針の前記ハブを着脱自在に保持するための注射針保持部を構成し、前記移動部材を前記保持解除位置に移動させると、前記装着用爪部が前記装着用凹部の前記前記装着用開口に沿って移動して前記移動部材の前記第２保持部が前記装着部の前記第１保持部から離隔する方向に移動し、前記装着部の前記落下開口部が開放されるように構成されており
前記注射針を廃棄するときには、前記移動部材が前記保持位置に移動され、前記ロック機構により前記保持位置にロック保持され、前記注射針の前記ハブが前記注射針保持部に挿入保持され、この保持状態で、前記注射器本体を前記注射針に対して所定方向に回転させることにより前記注射器本体が前記ハブより取り外され、その後に、前記ロック機構によるロック保持を解除して前記移動部材が前記保持位置から前記保持解除位置に位置付けられることにより、前記移動部材の前記第２保持部が前記注射針の前記ハブの前記他側から離れ、これにより、前記注射針が前記落下開口部を通して前記容器本体内に落下して収容されることを特徴とする注射針廃棄用容器。
【請求項２】
前記ロック機構は、前記移動部材の下方において前記装着部に傾動自在に設けられた傾動部材と、前記移動部材の下面に設けられたロック用突部とから構成され、前記傾動部材の先端部には、上方に突出するロック用爪部が設けられ、また、前記移動部材には操作用開口部が設けられ、この操作用開口部を通して前記傾動部材の上面が外部に露出されており、前記傾動部材は、前記ロック用爪部が前記ロック用突部に係合されるロック位置と、前記ロック用爪部が前記ロック用突部から離脱されるロック解除位置との間を上下に傾動自在に構成され、前記移動部材を前記保持位置に位置付けると、前記ロック用爪部が前記移動部材の前記ロック用突部に係合して前記ロック機構がロック状態となり、このロック状態において、前記移動部材の前記操作用開口を通して前記傾動部材を下方に押圧すると、前記揺動部材が下方に揺動して前記ロック用爪部とロック用突部との係合が解除されて前記ロック機構がロック解除状態となり、前記移動部材の前記保持解除位置への移動が許容されることを特徴とする請求項１に記載の注射針廃棄用容器。
【請求項３】
前記傾動部材の上面の少なくとも一部には、その基端部側から先端部側に向けて上り傾斜となる傾斜面が設けられていることを特徴とする請求項２に記載の注射針廃棄用容器。
【請求項４】
前記移動部材の前記操作用開口部の縁部には、操作用突部が上方に突出して設けられていることを特徴とする請求項２に記載の注射針廃棄用容器。
【請求項５】
前記スライド機構は、前記移動部材の両側部に設けられるとともにその移動方向に延びる一対の装着用爪部と、前記一対の装着用爪部に対応して前記装着部の両側部に設けられた一対の装着用開口部とから構成され、前記一対の装着用爪部は、前記一対の装着用開口部を通してそれらの縁部にスライド移動自在に係合されることを特徴とする請求項１に記載の注射針廃棄用容器。
【請求項６】
前記第１及び第２保持部はそれぞれ前記容器本体内に向けて下方に延びており、前記第１及び第２保持部の各上側部には、前記注射針の前記ハブの基端部側における外周面の片側及び他側の形状に対応した形状を有する第１及び第２保持凹部が設けられ、前記第１及び第２保持部の各下側部には、前記ハブの先端部に設けられた複数の係合突部の片側及び他側の形状に対応した形状を有する複数の第１及び第２係合凹部が設けられており、前記第１及び第２保持凹部は、相互に協働して前記ハブの基端部側における外周面を着脱自在に保持するためのハブ保持用凹部を構成し、前記複数の第１及び第２係合凹部は、相互に協働して前記ハブの前記複数の係合用突部に着脱自在に係合される複数の係合用凹部を構成し、
前記ハブが前記注射針保持部に挿入保持されると、前記ハブの基端部側における外周面が前記ハブ保持用凹部に着脱自在に挿入保持されるとともに、前記ハブの前記複数の係合用突部が前記複数の係合用凹部に着脱自在に係合保持され、これにより前記注射針の前記注射針保持部に対する回転が拘束されることを特徴とする請求項１に記載の注射針廃棄用容器。
【発明の詳細な説明】
【技術分野】
【０００１】
本発明は、使用済みの注射針を注射器本体から取り外して廃棄するための注射針廃棄用容器に関する。
【背景技術】
【０００２】
病院等で使用される注射器には、注射針のハブが注射器本体の先端部に着脱自在に差し込まれる差込式タイプの注射器と、注射針のハブが注射器本体の先端部に着脱自在に螺着されるネジ式タイプの注射器とがある。このような注射器は、感染症防止のために、使用後には注射器本体と注射針とに分別して廃棄される。その際、作業者が直接手で注射針を把持して注射器本体から取り外すと、誤って自身の手指などを注射針で傷付けるおそれがある。【０００３】
そこで、従来より、使用済みの注射針を注射器本体から安全に取り外して廃棄することができる注射針廃棄用容器が利用されている（例えば、特許文献１参照）。この注射針廃棄用容器は、医療廃棄物を収容するための容器本体と、容器本体の開口部を覆う蓋体と、を備えている。蓋体には、注射針が挿入される注射針挿入孔と、この注射針挿入孔から両側に延びる一対の凹部とが設けられている。【０００４】
差込式タイプの注射器において注射針を廃棄するときには、まず、注射針のハブを注射針挿入孔に挿入し、この挿入した状態のままで注射器を凹部に沿ってスライド移動させる。その後、注射器を揺動することによってハブに下方への押圧力が作用し、これによりハブが注射器本体の先端部から取り外され、注射針が凹部を通して容器本体内に落下して収容される。
【先行技術文献】
【特許文献】
【０００５】
【特許文献１】特開２００３−２６００９４号公報
【発明の概要】
【発明が解決しようとする課題】
【０００６】
しかしながら、ネジ式タイプの注射器においては、上述したのと同様に注射器を揺動しても、注射針のハブと注射器本体の先端部との螺着を解除するのは難しく、注射針を注射器本体から容易に取り外すことができない。【０００７】
本発明の目的は、ネジ式タイプの注射器において、注射針を注射器本体から容易に取り外して廃棄することができる注射針廃棄用容器を提供することである。
【課題を解決するための手段】
【０００８】
本発明の請求項１に記載の注射針廃棄用容器では、注射器本体の先端部に着脱自在に螺着されるハブ及び前記ハブに支持されたカヌラを有する注射針を廃棄するための注射針廃棄用容器であって、
廃棄物を収容するための容器本体と、前記容器本体の開口部を覆う蓋体と、前記蓋体にスライド移動自在に装着された移動部材と、を備えており、
前記蓋体には、前記移動部材がスライド移動自在に装着される装着部が設けられ、前記装着部に装着用凹部が配設されているとともに、前記装着用凹部と前記移動部材との間に、前記移動部材を保持位置と保持解除位置との間をスライド移動させるためのスライド機構が設けられ、前記スライド機構は、前記移動部材に設けられた装着用爪部と、前記装着用凹部に設けられた開口部とから構成され、前記装着用爪部が前記装着用開口部に係合されて前記保持位置と前記保持解除位置との間を移動自在であり、
前記装着部には、前記注射針の前記ハブの片側を保持するための第１保持部が設けられているとともに、前記第１保持部に関連して落下開口部が設けられ、また前記移動部材には、前記注射針の前記ハブの他側を保持するための第２保持部が設けられ、更に、前記移動部材に関連して、前記移動部材を前記保持位置に保持するためのロック機構が設けられており、
前記移動部材を前記保持位置に移動させると、前記装着用爪部が前記装着用凹部の前記装着用開口部に沿って移動して前記移動部材の前記第２保持部が前記装着部の前記第１保持部に近接する方向に移動し、前記第１及び第２保持部は、相互に協働して前記注射針の前記ハブを着脱自在に保持するための注射針保持部を構成し、前記移動部材を前記保持解除位置に移動させると、前記装着用爪部が前記装着用凹部の前記前記装着用開口に沿って移動して前記移動部材の前記第２保持部が前記装着部の前記第１保持部から離隔する方向に移動し、前記装着部の前記落下開口部が開放されるように構成されており
前記注射針を廃棄するときには、前記移動部材が前記保持位置に移動され、前記ロック機構により前記保持位置にロック保持され、前記注射針の前記ハブが前記注射針保持部に挿入保持され、この保持状態で、前記注射器本体を前記注射針に対して所定方向に回転させることにより前記注射器本体が前記ハブより取り外され、その後に、前記ロック機構によるロック保持を解除して前記移動部材が前記保持位置から前記保持解除位置に位置付けられることにより、前記移動部材の前記第２保持部が前記注射針の前記ハブの前記他側から離れ、これにより、前記注射針が前記落下開口部を通して前記容器本体内に落下して収容されることを特徴とする。
【０００９】
また、本発明の請求項２に記載の注射針廃棄用容器では、前記ロック機構は、前記移動部材の下方において前記装着部に傾動自在に設けられた傾動部材と、前記移動部材の下面に設けられたロック用突部とから構成され、前記傾動部材の先端部には、上方に突出するロック用爪部が設けられ、また、前記移動部材には操作用開口部が設けられ、この操作用開口部を通して前記傾動部材の上面が外部に露出されており、前記傾動部材は、前記ロック用爪部が前記ロック用突部に係合されるロック位置と、前記ロック用爪部が前記ロック用突部から離脱されるロック解除位置との間を上下に傾動自在に構成され、前記移動部材を前記保持位置に位置付けると、前記ロック用爪部が前記移動部材の前記ロック用突部に係合して前記ロック機構がロック状態となり、このロック状態において、前記移動部材の前記操作用開口を通して前記傾動部材を下方に押圧すると、前記揺動部材が下方に揺動して前記ロック用爪部とロック用突部との係合が解除されて前記ロック機構がロック解除状態となり、前記移動部材の前記保持解除位置への移動が許容されることを特徴とする。
【００１２】
また、本発明の請求項３に記載の注射針廃棄用容器では、前記傾動部材の上面の少なくとも一部には、その基端部側から先端部側に向けて上り傾斜となる傾斜面が設けられていることを特徴とする。
【００１４】
また、本発明の請求項４に記載の注射針廃棄用容器では、前記移動部材の前記操作用開口部の縁部には、操作用突部が上方に突出して設けられていることを特徴とする。
【００１５】
また、本発明の請求項５に記載の注射針廃棄用容器では、前記スライド機構は、前記移動部材の両側部に設けられるとともにその移動方向に延びる一対の装着用爪部と、前記一対の装着用爪部に対応して前記装着部の両側部に設けられた一対の装着用開口部とから構成され、前記一対の装着用爪部は、前記一対の装着用開口部を通してそれらの縁部にスライド移動自在に係合されることを特徴とする。
【００１６】
また、本発明の請求項６に記載の注射針廃棄用容器では、前記第１及び第２保持部はそれぞれ前記容器本体内に向けて下方に延びており、前記第１及び第２保持部の各上側部には、前記注射針の前記ハブの基端部側における外周面の片側及び他側の形状に対応した形状を有する第１及び第２保持凹部が設けられ、前記第１及び第２保持部の各下側部には、前記ハブの先端部に設けられた複数の係合突部の片側及び他側の形状に対応した形状を有する複数の第１及び第２係合凹部が設けられており、前記第１及び第２保持凹部は、相互に協働して前記ハブの基端部側における外周面を着脱自在に保持するためのハブ保持用凹部を構成し、前記複数の第１及び第２係合凹部は、相互に協働して前記ハブの前記複数の係合用突部に着脱自在に係合される複数の係合用凹部を構成し、
前記ハブが前記注射針保持部に保持されると、前記ハブの基端部側における外周面が前記ハブ保持用凹部に着脱自在に保持されるとともに、前記ハブの前記複数の係合用突部が前記複数の係合用凹部に着脱自在に係合され、これにより前記注射針の前記注射針保持部に対する回転が拘束されることを特徴とする。
【発明の効果】
【００１７】
本発明の請求項１に記載の注射針廃棄用容器によれば、移動部材は、蓋体の装着部の装着用凹部にスライド機構を介して保持位置と保持解除位置の間をスライド自在に装着され、このスライド機構は、移動部材側の装着用爪部と装着凹部側の開口部とから構成され、保持位置にあるときには、移動部材の第２保持部が装着部の第１保持部と協働して注射針保持部を構成し、保持解除位置にあるときには、この第２保持部が装着部の第１保持部より離隔して落下開口部が開放される。これにより、ネジ式タイプの注射器の注射針を廃棄する際には、移動部材が保持位置に位置付けられ、注射針のハブが注射針保持部に挿入保持され、装着部の第１保持部が注射針の片側を、移動部材の第２保持部がこのハブの他側を保持する。この挿入保持状態において、注射器本体を注射針に対して所定方向に回転させることにより、ハブと注射器本体の先端部との螺着を解除することができる。その後に、移動部材が保持解除位置に位置付けられることにより、移動部材の第２保持部が注射針のハブの他側から離れて保持が解除され、これにより、注射針が落下開口部を通して容器本体内に落下し、注射針を容器本体内に収容して廃棄することができる。このように、ネジ式タイプの注射器において、注射針を注射器本体から容易に取り外して廃棄することができる。また、移動部材に関連してロック機構が設けられているので、この移動部材を保持位置に保持することができ、注射器本体を注射針に対して回転させる際に、移動部材が保持解除位置にスライド移動するのを防止することができる。
【００１８】
また、本発明の請求項２に記載の注射針廃棄用容器によれば、ロック機構が装着部側の傾動部材と移動部材側のロック用突部とから構成され、傾動部材の先端部にロック用爪部が設けられているので、傾動部材のロック用爪部が移動部材のロック用突部に係合することによって、移動部材を保持位置に保持することができる。また、操作用開口部を通して傾動部材の上面が外部に露出されているので、手指などを操作用開口部に挿入し、手指などで傾動部材の上面を押圧してこれをロック解除位置に傾動させる操作と、手指などを操作用開口部に引っ掛けて移動部材を保持解除位置にスライド移動させる操作とを一動作で行うことができる。
【００２１】
また、本発明の請求項３に記載の注射針廃棄用容器によれば、傾動部材の上面の少なくとも一部には、その基端部側から先端部側に向けて上り傾斜となる傾斜面が設けられているので、この傾斜面を手指などで押圧し易くなり、傾動部材の傾動操作を容易に行うことができる。
【００２３】
また、本発明の請求項４に記載の注射針廃棄用容器によれば、移動部材の操作用開口部の縁部には、操作用突部が上方に突出して設けられているので、操作用突部に手指などを引っ掛けることにより、移動部材を容易にスライド移動させることができる。
【００２４】
また、本発明の請求項５に記載の注射針廃棄用容器によれば、移動部材の両側部に設けられた一対の装着用爪部は、装着部の両側部に設けられた一対の装着用開口部を通してそれらの縁部にスライド移動自在に係合されるので、移動部材を装着部に安定してスライド移動自在に装着することができる。
【００２５】
また、本発明の請求項６に記載の注射針廃棄用容器によれば、第１及び第２保持凹部は、相互に協働してハブの基端部側における外周面を着脱自在に保持するためのハブ保持用凹部を構成し、複数の第１及び第２係合凹部は、相互に協働してハブの先端部に設けられた複数の係合用突部に着脱自在に係合される複数の係合用凹部を構成する。これにより、ハブが注射針保持部に保持されると、ハブの基端部側における外周面がハブ保持用凹部に着脱自在に保持されるとともに、ハブの複数の係合用突部が複数の係合用凹部に着脱自在に係合される。従って、ハブを注射針保持部に安定して保持することができるとともに、注射針の注射針保持部に対する回転を拘束することができる。
【図面の簡単な説明】
【００２６】
【図１】本発明の一実施形態による注射針廃棄用容器を示す斜視図である。
【図２】図１の移動部材及び装着部を示す分解斜視図である。
【図３】移動部材が保持位置に位置付けられた状態での、移動部材及び装着部を示す上面図である。
【図４】移動部材が保持解除位置に位置付けられた状態での、移動部材及び装着部を示す上面図である。
【図５】移動部材が保持位置に位置付けられた状態での、移動部材及び装着部を示す下面図である。
【図６】移動部材が保持解除位置に位置付けられた状態での、移動部材及び装着部を示す下面図である。
【図７】図３中のＡ−Ａ線による移動部材及び装着部の断面図である。
【図８】注射針が注射針保持部に保持された状態での、図３中のＢ−Ｂ線による移動部材及び装着部の断面図である。
【図９】注射針が注射器本体から取り外された状態での、図４中のＣ−Ｃ線による移動部材及び装着部の断面図である。
【図１０】図８中のＤ−Ｄ線による注射針保持部及び注射針の断面図である。
【図１１】本発明の他の実施形態による注射針廃棄用容器の移動部材及び装着部を示す断面図である。
【図１２】本発明の更に他の実施形態による注射針廃棄用容器の注射針保持部及び注射針を示す断面図である。
【発明を実施するための形態】
【００２７】
以下、添付図面を参照して、本発明に従う注射針廃棄用容器の一実施形態について説明する。図１は、本発明の一実施形態による注射針廃棄用容器を示す斜視図であり、図２は、図１の移動部材及び装着部を示す分解斜視図であり、図３は、移動部材が保持位置に位置付けられた状態での、移動部材及び装着部を示す上面図であり、図４は、移動部材が保持解除位置に位置付けられた状態での、移動部材及び装着部を示す上面図であり、図５は、移動部材が保持位置に位置付けられた状態での、移動部材及び装着部を示す下面図であり、図６は、移動部材が保持解除位置に位置付けられた状態での、移動部材及び装着部を示す下面図であり、図７は、図３中のＡ−Ａ線による移動部材及び装着部の断面図であり、図８は、注射針を注射針保持部に保持した状態での、図３中のＢ−Ｂ線による移動部材及び装着部の断面図であり、図９は、注射針が注射器本体から取り外された状態での、図４中のＣ−Ｃ線による移動部材及び装着部の断面図であり、図１０は、図８中のＤ−Ｄ線による注射針保持部及び注射針の断面図である。
【００２８】
図１を参照して、本実施形態の注射針廃棄用容器２は、例えば使用済みの注射針や脱脂綿などの医療廃棄物を収容するための容器本体４を備えている。容器本体４の上面には開口部６が設けられ、この開口部６はプレート状の蓋体８によって覆われている。また、蓋体８の後側部には、蓋体８の上面を覆うためのカバー体１０がヒンジ１２を介して開閉自在に取り付けられている。カバー体１０の裏面にはフック１４が設けられ、また蓋体８には、フック１４が着脱自在に係合される受け凹部１６が設けられている。
【００２９】
蓋体８には、矩形状の投入用開口部１８が設けられており、例えば使用済みの脱脂綿などがこの投入用開口部１８を通して容器本体４内に投入される。また、蓋体８には、円形状の注射針挿入孔２０が設けられ、この注射針挿入孔２０より両側に横長の一対の凹部２２が延びている。差込式タイプの注射器（図示せず）において注射針を廃棄する際には、注射針のハブを注射針挿入孔２０に挿入し、この挿入した状態のままで注射器を凹部２２に沿ってスライド移動させる。その後、注射器を揺動することによってハブに下方への押圧力が作用し、これによりハブが注射器本体の先端部から取り外され、注射針が凹部２２を通して容器本体４内に落下して収容される。
【００３０】
図２〜図１０をも参照して、本実施形態の注射針廃棄用容器２では、ネジ式タイプの注射器２４において注射針２６を廃棄することができるように、次の通りに構成されている。なお、このネジ式タイプの注射器２４は、注射器本体２８及び注射針２６を備えている（図１及び図８参照）。注射器本体２８の先端部には、薬液吐出管３０と、薬液吐出管３０の外側に配設された筒状部３２とが設けられ、筒状部３２の内周面には２条ネジ部３４が形成されている。注射針２６は、筒状のハブ３６と、ハブ３６の先端部に支持されたカヌラ３８と、を有している。ハブ３６の先端部における外周面には複数（本実施形態では４個）の係合用突部４０が設けられ、これら複数の係合用突部４０は、ハブ３６の軸線方向に延びるとともに、ハブ３６の外周方向にほぼ等間隔に（即ち、断面十字状に）配設されている（図１０参照）。また、ハブ３６の基端部には、径方向外方に延びる一対のネジ突部４２が設けられている。薬液吐出管３０がハブ３６の基端部よりその内部に挿入された状態で、ハブ３６の一対のネジ突部４２と筒状部３２の２条ネジ部３４とが相互に着脱自在に螺着されることにより、ハブ３６が注射器本体２８の筒状部３２に着脱自在に螺着される。
【００３１】
蓋体８には装着部４４が設けられ、この装着部４４には矩形状の装着用凹部４６が設けられている（図２参照）。装着用凹部４６は蓋体８の上面に形成されており、この装着用凹部４６にはプレート状の移動部材４８がスライド移動自在に配設されている。移動部材４８はプレート状に構成され、その両側部には、移動部材４８の移動方向（図３〜図６、図８及び図９において左右方向、図７において紙面に対して垂直方向）に延びる一対の装着用爪部５０が設けられている。また、装着用凹部４６の両側部には、一対の装着用開口部５２が一対の装着用爪部５０に対応して設けられており、一対の装着用爪部５０が一対の装着用開口部５２を通してそれらの縁部にスライド移動自在に係合されている（図７参照）。これら一対の装着用爪部５０及び一対の装着用開口部５２はスライド機構を構成し、このスライド機構によって、移動部材４８が保持位置（図３、図５及び図８参照）と保持解除位置（図４、図６及び図９参照）との間を自在にスライド移動される。
【００３２】
装着用凹部４６の一端部には半円筒状の第１保持部５４が設けられ、この第１保持部５４は、容器本体４内に向けて下方に延びている。第１保持部５４の凹面側における上側部には第１保持凹部５６が設けられ、この第１保持凹部５６は、ハブ３６の基端部側における外周面の片側の形状に対応した形状を有している。第１保持凹部５６の上端縁部には、半円状の第１突部５８が上方に延びて設けられている。第１保持部５４の凹面側における下側部には複数の第１係合凹部６０が設けられ、この複数の第１係合凹部６０は、ハブ３６の片側における複数の係合用突部４０の形状に対応した形状を有している（図１０参照）。また、装着用凹部４６には落下開口部６２が設けられ、この落下開口部６２は、装着用凹部４６の一端部からその中央部近傍まで放物線状に延びている。
【００３３】
移動部材４８の一端部には半円筒状の第２保持部６４が設けられ、この第２保持部６４は、落下開口部６２を通して容器本体４内に向けて下方に延びている。第２保持部６４の凹面側における上側部には第２保持凹部６６が設けられ、この第２保持凹部６６は、ハブ３６の基端部側における外周面の他側の形状に対応した形状を有している。第２保持凹部６６の上端縁部には、半円状の第２突部６８が上方に延びて設けられている。また、第２保持部６４の凹面側における下側部には複数の第２係合凹部７０が設けられ、この複数の第２係合凹部７０は、ハブ３６の他側における複数の係合用突部４０の形状に対応した形状を有している（図１０参照）。
【００３４】
移動部材４８が保持位置に位置付けられると、移動部材４８の一端部が装着用凹部４６の一端部に接触乃至近接され、第１及び第２保持部５４，６４が協働することによって円筒状の注射針保持部７２が形成される（図８参照）。このとき、第１及び第２保持凹部５６，６６は、相互に協働してハブ３６の基端部側における外周面を着脱自在に保持するためのハブ保持用凹部７４を構成する。また、複数の第１及び第２係合凹部６０，７０は、相互に協働して複数の係合用突部４０に着脱自在に係合される複数の係合用凹部７６を構成する。この複数の係合用凹部７６は、複数の係合用突部４０の形状に対応して、注射針保持部７２の軸線方向に延びるとともに、注射針保持部７２の内周方向にほぼ等間隔に（即ち、断面十字状に）配設されている（図１０参照）。また、注射針保持部７２の上端開口部には、第１及び第２突部５８，６８によってリング状の突部が形成されるようになり、例えば移動部材４８及び装着部４４を透明乃至半透明の樹脂などから形成した場合に、リング状の突部により注射針保持部７２を視認し易くなる。
【００３５】
また、移動部材４８が保持解除位置に位置付けられると、移動部材４８の他端部が装着用凹部４６の他端部に接触乃至近接され、第２保持部６４が第１保持部５４より離隔して落下開口部６２が開放される。
【００３６】
更に、移動部材４８に関連して、移動部材４８を保持位置にロック保持するためのロック機構が設けられている。このロック機構は、移動部材４８の下方において装着用凹部４６の中央部に傾動自在に設けられた傾動部材７８と、移動部材４８の下面に設けられたロック用突部８０とから構成されている。傾動部材７８の先端部には、ロック用爪部８２が上方に幾分突出して設けられ、このロック用爪部８２の先端部には第１テーパ部８６が形成されている。また、ロック用突部８０の先端部には、ロック用爪部８２の第１テーパ部８４に対応して第２テーパ部８４が形成されている。
【００３７】
傾動部材７８の上面の一部には、その基端部側から先端部側に向けて上り傾斜となる傾斜面８８が設けられている（図８参照）。また、移動部材４８には楕円形状の操作用開口部９０が設けられ、この操作用開口部９０を通して傾動部材７８の上面（傾斜面８８）が外部に露出されている。操作用開口部９０の縁部には、リング状の操作用突部９２が上方に幾分突出して設けられている。
【００３８】
傾動部材７８は、ロック用爪部８２がロック用突部８０に係合されるロック位置（図８において実線で示す）と、ロック用爪部８２がロック用突部８０から離脱されるロック解除位置（図８において一点鎖線で示す）との間を上下に傾動自在に構成されている。また、傾動部材７８は、ロック位置に向けて弾性的に偏倚されている。
【００３９】
また、装着用凹部４６には、ロック用突部８０の移動経路に沿って延びる移動用開口部９４が設けられている。移動部材４８の他端部には目隠し部９６が設けられ、この目隠し部９６は、下方にＬ字状に延びている。移動部材４８が保持位置に位置付けられた際に、この目隠し部９６によって移動用開口部９４の一部が下方より覆われるようになる。
【００４０】
なお、移動部材４８の下面において、操作用開口部９０と第２保持部６４との間にはぬすみ部９８が設けられている。このぬすみ部９８によって、移動部材４８が保持解除位置に位置付けられた際に、傾動部材７８の上面と移動部材４８とが互いに接触されるのが防止される（図９参照）。
【００４１】
次に、上述した注射針廃棄用容器２を用いて、ネジ式タイプの注射器２４の注射針２６を廃棄する方法について説明する。まず、移動部材４８が保持位置に位置付けられた状態で、使用済みの注射針２６のハブ３６を注射針保持部７２の上端開口部よりその内部に挿入する（図８参照）。注射器本体２８の筒状部３２の下端部が注射針保持部７２の上端開口部の外周部に接触されるまで挿入すると、ハブ３６が注射針保持部７２に着脱自在に保持される。この状態では、ハブ３６の上側部（基端部側）における外周面がハブ保持用凹部７４に着脱自在に保持されるとともに、複数の係合用突部４０が複数の係合用凹部７６に着脱自在に係合される。これにより、注射針２６の注射針保持部７２に対する回転が拘束される。
【００４２】
かかる状態で、注射器本体２８を注射針２６に対して図８中の矢印Ｐで示す方向に回転させると、ハブ３６の一対のネジ突部４２と筒状部３２の２条ネジ部３４との螺合が解除され、注射器本体２８がハブ３６より取り外される。このとき、移動部材４８がロック機構によって保持位置にロック保持されているので、注射器本体２８を注射針２６に対して回転させる際に、移動部材４８が保持解除位置にスライド移動されるのが防止される。
【００４３】
その後に、手指などを操作用開口部９０に挿入して傾動部材７８の上面を下方に押圧し、傾動部材７８を下方に傾動させてロック解除位置に位置付ける。この状態のままで、手指などを操作用突部９２に引っ掛けるなどして、移動部材４８を保持位置から保持解除位置にスライド移動させると、注射針２６が所定方向に傾いてハブ３６が注射針保持部７２から離脱され、注射針２６が落下開口部６２を通して容器本体４内に落下して収容される。
【００４４】
注射針２６が容器本体４内に収容された後には、手指などを操作用突部９２に引っ掛けるなどして、移動部材４８を保持解除位置から保持位置にスライド移動させる。このとき、ロック用爪部８２の第１テーパ部８４がロック用突部８０の第２テーパ部８６上をスライドすることによって、傾動部材７８が下方に傾動され、ロック用爪部８２がロック用突部８０に再び係合される。
【００４５】
上述したように、本実施形態の注射針廃棄用容器２では、ネジ式タイプの注射器２４において、注射針２６を注射器本体２８から容易に取り外して廃棄することができる。
【００４６】
次に、図１１を参照して、他の実施形態の注射針廃棄用容器について説明する。図１１は、本発明の他の実施形態による注射針廃棄用容器の移動部材及び装着部を示す断面図である。なお、本実施形態において、上記実施形態と実質上同一の構成要素には同一の符号を付し、その説明を省略する。
【００４７】
本実施形態の注射針廃棄用容器２Ａでは、移動部材４８Ａを保持解除位置に向けて弾性的に偏倚するためのコイルバネ１００（弾性偏倚手段を構成する）が設けられている。このコイルバネ１００の一端部は、移動部材４８Ａの目隠し部９６の先端部に支持され、その他端部は、装着部４４Ａの下面に設けられたブラケット１０２に支持されている。
【００４８】
従って、傾動部材７８をロック位置からロック解除位置に傾動させると、このコイルバネ１００の弾性偏倚力によって、移動部材４８Ａを保持位置から保持解除位置に容易にスライド移動させることができる。
【００４９】
次に、図１２を参照して、更に他の実施形態の注射針廃棄用容器について説明する。図１２は、本発明の更に他の実施形態による注射針廃棄用容器の注射針保持部及び注射針を示す断面図である。
【００５０】
本実施形態の注射針廃棄用容器では、複数の第１及び第２係合凹部６０Ｂ，７０Ｂによって構成される複数の係合用凹部７６Ｂは、複数の係合用突部４０の形状に対応して、注射針保持部７２Ｂの軸線方向に延びるとともに、注射針保持部７２Ｂの内周方向にほぼ等間隔に（即ち、相互に対向して）配設されている。各係合用凹部７６Ｂの外周部は略円弧状に構成され、各係合用凹部７６Ｂにはそれぞれ隣接する一対の係合用突部４０が着脱自在に係合される。このような構成であっても、上記実施形態と同様に、注射針２６の注射針保持部７２Ｂに対する回転を拘束することができる。
【００５１】
以上、本発明に従う注射針廃棄用容器の各種実施形態について説明したが、本発明はかかる実施形態に限定されるものではなく、本発明の範囲を逸脱することなく種々の変形乃至修正が可能である。
【００５２】
例えば、ハブ３６の片側における複数の係合用突部４０と第１保持部５４の第１係合凹部６０との係合をルーズフィットとするとともに、ハブ３６の他側における複数の係合用突部４０と第２保持部６４の第２係合凹部７０との係合をタイトフィットとするように構成してもよい。これにより、移動部材４８を保持解除位置にスライド移動させると、ハブ３６の片側が第１保持部５４から離隔されるとともに、ハブ３６の他側が第２保持部６４に保持された状態となる。移動部材４８の他端部が装着用凹部４６の他端部に接触される際の衝撃によって、ハブ３６の他側が第２保持部６４より離隔されて、注射針２６が落下開口部６２を通して容器本体４内に落下して収容される。
【産業上の利用可能性】
【００５３】
本発明の注射針廃棄用容器によれば、移動部材は、第２保持部が第１保持部と協働して注射針保持部を構成する保持位置と、第２保持部が第１保持部より離隔して落下開口部が開放される保持解除位置との間を自在にスライド移動される。これにより、ネジ式タイプの注射器の注射針を廃棄する際には、移動部材が保持位置に位置付けられ、注射針のハブが注射針保持部に保持された状態で、注射器本体を注射針に対して所定方向に回転させることにより、ハブと注射器本体の先端部との螺着を解除することができる。その後に、移動部材が保持解除位置に位置付けられることにより、注射針が落下開口部を通して容器本体内に落下し、注射針を容器本体内に収容して廃棄することができる。このように、ネジ式タイプの注射器において、注射針を注射器本体から容易に取り外して廃棄することができる。
【符号の説明】
【００５４】
２，２Ａ  注射針廃棄用容器
４  容器本体
８  蓋体
２６  注射針
２８  注射器本体
３６  ハブ
４０  係合用突部
４４，４４Ａ  装着部
４８，４８Ａ  移動部材
５０  装着用爪部
５２  装着用開口部
５４，５４Ｂ  第１保持部
６２  落下開口部
６４，６４Ｂ  第２保持部
７２，７２Ｂ  注射針保持部
７４  ハブ保持用凹部
７６，７６Ｂ  係合用凹部
７８  傾動部材
８０  ロック用突部
８２  ロック用爪部
９０  操作用開口部
９６  目隠し部
１００  コイルバネ（弾性偏倚手段）
【図１】
0005444332.tif 000002
【図２】
0005444332.tif 000003
【図３】
0005444332.tif 000004
【図４】
0005444332.tif 000005
【図５】
0005444332.tif 000006
【図６】
0005444332.tif 000007
【図７】
0005444332.tif 000008
【図８】
0005444332.tif 000009
【図９】
0005444332.tif 000010
【図１０】
0005444332.tif 000011
【図１１】
0005444332.tif 000012
【図１２】
0005444332.tif 000013